【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
(a)少なくとも一種の触媒によって架橋されたシリコーンポリマー、および
(b)該シリコーンポリマー中に相互分散する第二ポリマー、
を含み、該架橋シリコーンポリマー中に該第二ポリマーが捕捉された、複数のセミ相互侵入高分子網目を形成している塗料組成物でコーティングされた布基材を含んでなるエアバッグであって、
該第二ポリマーは、ポリエチレン、ポリブタジエン、天然ゴム、エチレン-酢酸ビニル、ＥＰＤＭ、ブチルゴム、スチレン−ブタジエン共重合体、アクリロニトリル−ブタジエンエラストマー、イソプレンエラストマー、ポリ（イソブチレン）、ポリ（メタクリル酸エチル）、イソブチレン−イソプレンゴム、ポリクロロプレン、エチレンプロピレン共重合体、クロロスルホン化ポリエチレンおよびウレタンからなる群から選択される、エアバッグ。
【請求項２】
前記触媒は、白金、パラジウム、過酸化クミル、過酸化アシル、および過酸化ベンゾイルからなる群から選択される、請求項１に記載のエアバッグ。
【請求項３】
前記布基材は織布である、請求項１に記載のエアバッグ。
【請求項４】
前記布基材は編物である、請求項１に記載のエアバッグ。
【請求項５】
前記布基材は不織布である、請求項１に記載のエアバッグ。
【請求項６】
前記布基材は、天然繊維、合成繊維、および無機繊維からなる群から選択される繊維から形成されたものである、請求項１に記載のエアバッグ。
【請求項７】
前記第二ポリマーはエチレン-酢酸ビニルである、請求項１に記載のエアバッグ。
【請求項８】
前記第二ポリマーはＥＰＤＭである、請求項１に記載のエアバッグ。
【請求項９】
(a)第一凝集パラメータを有し、少なくとも一種の触媒によって架橋されたシリコーンポリマー、および
(b)該シリコーンポリマー中に相互分散する第二ポリマー、
を含み、該架橋シリコーンポリマー中に該第二ポリマーが捕捉された、複数のセミ相互侵入高分子網目を形成している塗料組成物でコーティングされた布基材を含んでなるエアバッグであって、
該第二ポリマーは約１３ＭＰａ1/2〜１９ＭＰａ1/2の間の第二凝集パラメータを有し、第二ポリマーはエチレン-アクリル酸メチル共重合体ではない、エアバッグ。
【手続補正２】
【補正対象書類名】明細書
【補正対象項目名】００４７
【補正方法】変更
【補正の内容】
【００４７】
最後に、別紙の特許請求の範囲の精神および範囲に含むことが意図される他の実施形態や変形は、多数存在する。
本発明の主たる態様および好ましい態様は、以下を包含する。
〔１〕  シリコーンポリマー、および該シリコーンポリマー中に相互分散する第二ポリマーを含んでなる塗料組成物であって、該第二ポリマーは約１３ＭＰａ1/2〜約１９ＭＰａ1/2の凝集パラメータを有する塗料組成物。
〔２〕  前記シリコーンポリマーは、触媒によって架橋可能な二液型シリコーンポリマーである〔１〕に記載の塗料組成物。
〔３〕  前記触媒は、白金、パラジウム、過酸化クミル、過酸化アシル、および過酸化ベンゾイルよりなる群から選ばれる〔２〕に記載の塗料組成物。
〔４〕  前記シリコーンポリマーおよび前記第二ポリマーは、混合して前記触媒で処理するとセミ-ＩＰＮを形成する〔２〕に記載の塗料組成物。
〔５〕  前記第二ポリマーは、ポリテトラフルオロエチレン、ポリエチレン、ポリブタジエン、天然ゴム、エチレン-アクリル酸メチル、エチレン-酢酸ビニル、ＥＰＤＭ、ブチル４００、ネオプレン、ブタジエン／スチレン９６／４、ブタジエン／スチレン８７．５／１２．５、ブタジエン／スチレン７１．５／２８．５、ブタジエン／アクリロニトリル８２／１８、アクリロニトリル−ブタジエンエラストマー、アルコール可溶性樹脂、短油アルキド、酢酸セルロース、クマロン−インデン樹脂、イソプレンエラストマー、酢酸セルロース、石油炭化水素樹脂、ポリアミド、シス−ポリブタジエンエラストマー、ポリ（イソブチレン）、ポリ（メタクリル酸エチル）、ポリ（ビニルブチラール）、ポリ（塩化ビニル）、スチレン−ブタジエン、テルペン樹脂、イソブチレン−イソプレンゴム、ニトリル−ブタジエンゴム、ポリクロロプレン、フッ化ビニリデン−ヘキサフルオロプロピレン共重合体、ポリスルフィド、エチレンプロピレン共重合体、クロロ−スルホニルポリエチレン、アクリレート−アクリル酸、ポリエーテルウレタン、エチレンオキシド−エピクロロヒドリン共重合体、長油アルキド樹脂よりなる群から選ばれる〔１〕に記載の塗料組成物。
〔６〕  γ-イソシアナトプロピル-トリメトキシシランを更に含んでなる〔１〕に記載の塗料組成物。
〔７〕  メタクリルオキシプロピルトリメトキシシランを更に含んでなる〔１〕に記載の塗料組成物。
〔８〕  チタン酸テトラオクチルを更に含んでなる〔１〕に記載の塗料組成物。
〔９〕  市販の黄色顔料を更に含んでなる〔１〕に記載の塗料組成物。
〔１０〕  (i)第一凝集パラメータを有し、少なくとも一種の触媒によって架橋可能なシリコーンポリマー、および
(ii)該シリコーンポリマー中に相互分散する第二ポリマー、
を含み、該第二ポリマーは第二凝集パラメータを有し、該第一、第二凝集パラメータ間の絶対差は約３ＭＰａ1/2以下である塗料組成物でコーティングされた布基材を含んでなるエアバッグ。
〔１１〕  前記触媒は、白金、パラジウム、過酸化クミル、過酸化アシル、および過酸化ベンゾイルよりなる群から選ばれる〔１０〕に記載のエアバッグ。
〔１２〕  前記布基材が織布である〔１０〕に記載のエアバッグ。
〔１３〕  前記布基材は、ワンピースのジャカード織りクッションである〔１２〕に記載のエアバッグ。
〔１４〕  前記ワンピースのジャカード織りクッションは、ナイロン繊維から形成されたものである〔１３〕に記載のエアバッグ。
〔１５〕  前記布基材は編物である〔１０〕に記載のエアバッグ。
〔１６〕  前記布基材は不織布である〔１０〕に記載のエアバッグ。
〔１７〕  前記布基材は、天然繊維、合成繊維、および無機繊維よりなる群から選ばれた繊維から形成されたものである〔１０〕に記載のエアバッグ。
〔１８〕  前記第二ポリマーは、ポリテトラフルオロエチレン、ポリエチレン、ポリブタジエン、天然ゴム、エチレン-アクリル酸メチル、エチレン-酢酸ビニル、ＥＰＤＭ、ブチル４００、ネオプレン、ブタジエン／スチレン９６／４、ブタジエン／スチレン８７．５／１２．５、ブタジエン／スチレン７１．５／２８．５、ブタジエン／アクリロニトリル８２／１８、アクリロニトリル-ブタジエンエラストマー、アルコール可溶性樹脂、短油アルキド、酢酸セルロース、クマロン−インデン樹脂、イソプレンエラストマー、酢酸セルロース、石油炭化水素樹脂、ポリアミド、シス−ポリブタジエンエラストマー、ポリ（イソブチレン）、ポリ（メタクリル酸エチル）、ポリ（ビニルブチラール）、ポリ（塩化ビニル）、スチレン−ブタジエン、テルペン樹脂、イソブチレン−イソプレンゴム、ニトリル−ブタジエンゴム、ポリクロロプレン、フッ化ビニリデン−ヘキサフルオロプロピレン共重合体、ポリスルフィド、エチレンプロピレン共重合体、クロロ−スルホニルポリエチレン、アクリレート−アクリル酸、ポリエーテルウレタン、エチレンオキシド−エピクロロヒドリン共重合体、長油アルキド樹脂よりなる群から選ばれる〔１０〕に記載のエアバッグ。
〔１９〕  前記塗料組成物はγ-イソシアナトプロピル-トリメトキシシランを更に含んでなる〔１０〕に記載のエアバッグ。
〔２０〕  前記塗料組成物はメタクリルオキシプロピルトリメトキシシランを更に含んでなる〔１０〕に記載のエアバッグ。